(57)【要約】【課題】  身辺に携帯保持して使用し、人体の背後監視領域への車や不審者などの被監視体の立入を感知すると、迅速且つ的確に危険通報を行うことにより、日常生活上で我々の背後に立ち入る車や不審者に起因する危害の発生を防止する背後監視装置を提供する。【解決手段】  使用者の頚部２にネックレス３が着用され、ネックレス３の背後位置には背後監視領域５に、監視電磁波６を放射する放射器７が内設され、放射器７を挟むネックレス３の領域に、監視電磁波６が背後監視領域６内に立入る不審者などの被監視体８で反射した反射電磁波１０を受信する警報器１１ａ、１１ｂが内設され、ネックレス３の前部に、警報器１１ａ、１１ｂに接続され、警報器１１ａ、１１ｂから警報信号が入力されると通報音を発して、人体１に危険通報を行なう危険通報器１２が内設されている。【選択図】図１
2011008746.tif 000002
【特許請求の範囲】
【請求項１】
人体の背後監視領域に監視電磁波を放射する放射器と、前記監視電磁波に基づき、前記背後監視領域に存在する被監視体を検知し警報信号を出力する警報器と、前記警報信号に基づき前記人体に危険通報を行なう危険通報器と、前記放射器、前記警報器及び前記危険通報器が収容装備され、前記人体または前記人体の周辺携帯物に装着される保持体とを有することを特徴とする背後監視装置。
【請求項２】
危険通報器が通報音を発生して人体に危険通報を行なうことを特徴とする請求項１記載の背後監視装置。
【請求項３】
危険通報器が人体に通報振動を伝達して危険通報を行なうことを特徴とする請求項１記載の背後監視装置。
【請求項４】
保持体が人体に装着されるネックレスであることを特徴とする請求項１ないし請求項３の何れかに記載の背後監視装置。
【発明の詳細な説明】
【技術分野】
【０００１】  本発明は、利用者の人体背後を監視することにより、背後から利用者の人体に加えられる危害を防止する背後監視装置に関する。
【背景技術】
【０００２】  日常生活上で我々の身体は常に危険と対面しており、日常的な危害の発生についてある程度は自覚し、日頃から注意を払って生活していても、我々は思いもかけない所で危害を受けることがある。日常生活に必須な歩行動作時のこと一つを取り上げても、我々は常に周囲に視覚・聴覚的に最大の注意を払って歩いていても、車と接触事故を起こしたり、近寄って来た不審者に所持品をひったくられたりすることがある。【０００３】  このような危害の発生に際しては、我々の視覚の盲点となる背後から近寄る車と接触したり、背後から忍び寄る不審者により所持品をひったくられる場合が圧倒的に多い。
具体的には、人通りの少ない道を周囲が薄暗くなった時間帯に一人で歩いている女性が、背後から足音を忍ばせて近付いて来た男に、貴重品の入ったハンドバックをひったくられたり、カート（手動荷車）を引いて歩行中の老人の背後から自転車が近付き、老人の引いているカートに接触することにより、老人が引き倒されて負傷する事故などが多く報じられている。
【発明の概要】
【発明が解決しようとする課題】
【０００４】  この種の危害の発生を防止するためには、我々の視覚の盲点となる人体の背後に留意することが必要で、利用者人体の背後に所定領域の背後監視領域を設定し、この背後監視領域を監視して、背後監視領域内に車両や不審者などの被監視体が侵入したと検知された場合に、利用者に危険通報を行なうことが必要になる。
本発明は我々の日常生活上で、我々の人体背後から近寄ってくる車や不審者に起因して引き起こされる危害の発生を防止することを目的とするもので、人体に直接装着し或いは人体の周辺携帯物に装着して使用し、人体の背後監視領域に車や不審者などの被監視体が侵入したことを感知すると、迅速且つ的確に危険通報を行うことにより、日常生活上で我々の背後の車や不審者に起因する危害の発生を防止する背後監視装置を提供するものである。
【課題を解決するための手段】
【０００５】  前記目的を達成するために、請求項１記載の第１の発明は、人体の背後監視領域に監視電磁波を放射する放射器と、前記監視電磁波に基づき前記背後監視領域に存在する被監視体を検知し警報信号を出力する警報器と、前記警報信号に基づき前記人体に危険通報を行なう危険通報器と、前記放射器、前記警報器及び前記危険通報器が収容装備され、前記人体または前記人体の周辺携帯物に装着される保持体とを有することを特徴とするものである。【０００６】  第１の発明によると、人体に直接または人体の周辺携帯物に間接的に装着される保持体には、放射器、警報器及び危険通報器が収容装備されており、放射器から人体の背後監視領域に監視電磁波が放射され、この監視電磁波に基づいて背後監視領域に被監視体が存在することが検知されると、警報器からは警報信号が出力される。そして、この警報信号は危険通報器に入力され、危険通報器によって人体に対して危険通報が行なわれる。【０００７】  同様に前記目的を達成するために、請求項２記載の第２の発明は、第１の発明において、危険通報器が通報音を発生して人体に危険通報を行なうことを特徴とするものである。【０００８】  第２の発明によると、第１の発明での作用において、危険通報器は通報音を発生して人体に対して危険通報を行なう。【０００９】  同様に前記目的を達成するために、請求項３記載の第３の発明は、第１の発明において、危険通報器が人体に通報振動を伝達して危険通報を行なうことを特徴とするものである。【００１０】  第３の発明によると、第１の発明での作用において、危険通報器は通報振動を伝達して人体に対して危険通報を行なう。【００１１】  同様に前記目的を達成するために、請求項４記載の第４の発明は、第１の発明ないし第３の発明の何れかの発明において、保持体が人体に装着されるネックレスであることを特徴とするものである。【００１２】  第４の発明によると、第１の発明ないし第３の発明の何れかの発明での作用に加えて、保持体が人体に装着されるネックレスなので、背後監視装置は装着の違和感なく、日常的に気軽に装着使用される。
【発明の効果】
【００１３】  第１の発明に係る背後監視装置では、放射器、警報器及び危険通報器が保持体に収容装備されているので、保持体を人体に直接装着し、或いは人体の周辺携帯物に装着するだけで、背後監視装置を日常的に簡単に利用することが可能になる。
そして、放射器から人体の背後監視領域に監視電磁波が放射され、この監視電磁波に基づいて警報器により、背後監視領域に被監視体が存在することが検知されると、警報器からは警報信号が出力されて危険通報器に入力され、危険通報器によって人体に危険通報が行なわれるので、人体の背後監視領域内での被監視体の存在を的確に検知し、人体に迅速確実に危険通報を行なうことが可能になる。【００１４】  第２の発明に係る背後監視装置によると、危険通報器が通報音を発生して人体に対して危険通報を行なうので、利用者は通報音を聴いて迅速確実に、背後監視領域内に被監視体が存在することを知ることが可能になる。【００１５】  第３の発明に係る背後監視装置によると、危険通報器が通報振動を伝達して人体に対して危険通報を行なうので、人体は通報振動により迅速確実に、背後監視領域内に被監視体が存在することを知ることが可能になり、例えば耳が遠くなった老人でも被監視体の存在を迅速確実に知ることが可能になる。【００１６】  第４の発明に係る背後監視装置によると、第１の発明ないし第３の発明の何れかの発明で得られる効果に加えて、保持体が人体に装着されるネックレスなので、背後監視装置は装着の違和感が全くなく、日常的により気軽に装着使用することが可能になる。
【図面の簡単な説明】
【００１７】
【図１】  本発明の第１の実施例の使用状態を示す説明図である。
【図２】  本発明の第１の実施例の要部の構成を示すブロック図である。
【図３】  本発明の第２の実施例の要部の構成を示すブロック図である。
【発明を実施するための形態】
【００１８】  以下に本発明の各実施例を、図１ないし図３を参照して説明する。
【実施例】
【００１９】  図１に示すように、第１の実施例は利用者１が装着するネックレス３を保持体とする場合であり、利用者１の人体１Ａの頚部２にネックレス３が装着され、装着時のネックレス３の人体１Ａの背後に対応する位置には、人体１Ａの背後監視領域５に、図に点線で示す監視電磁波６を放射する放射器７が内設されている。  この放射器７の位置を挟むようにして、ネックレス３に沿った比較的長い領域には、監視電磁波６が背後監視領域５内に存在する不審者などの被監視体８で反射した、図１に一点鎖線で示す反射電磁波１０を受信する警報器１１ａ、１１ｂが内設されている。図１においては、人体１Ａの左側に位置する警報器１１ａのみが示されている。
また、利用者１に装着されたネックレス３の前部には、警報器１１ａ、１１ｂに電気的に接続され、反射電磁波１０を受信した警報器１１ａ、１１ｂから出力される警報信号が入力される危険通報器１２が内装されている。この危険通報器１２に警報信号が入力されると、危険通報器１２は通報音を発して、利用者１に危険通報を行なうように構成されている。【００２０】  第１の実施例により、人通りの少ない道を周囲が薄暗くなった時間帯に利用者１である女性が一人で歩いている場合を説明すると、利用者１が日頃装着しているネックレス３の背後位置に内装されている放射器７からは、図１に点線で示すように、人体１Ａの背後監視領域５に監視電磁波６が常時放射されている。
背後監視領域５は、放射器７の放射中心位置から頂角が６０°の円錐状に、放射中心位置から２ｍの距離までに設定され、放射器７からはこのように設定された背後監視領域５内に、監視電磁波６が有効に放射されるように構成されている。【００２１】  図１に示すように、被監視体８となる不審者が、利用名１の背後からこのように設定された背後監視領域５内に、足音を忍ばせて近付いて来たとすると、放射器７から放射されている監視電磁波６は、被監視体８の不審者により反射され、図１に一点鎖線で示すように、反射電磁波１０として警報器１１ａ、１１ｂにより検知され、警報器１１ａ、１１ｂからは警報信号が出力される。そして、警報器１１ａ、１１ｂから出力された警報信号は、危険通報器１２に入力され、危険通報器１２からは危険を通報する「ピー」という連続的な通報音が発生される。
このために、利用者１の女性は、人通りの少ない道を周囲が薄暗くなった時間帯に一人で歩いている際に、自らの人体１Ａの背後２ｍ内の背後監視領域５内に何物かが侵入したことを、聴覚を介して瞬時に知り貴重品の入ったハンドバックを両手で抱え込みその場から速やかに立ち去ることで、ハンドバックのひったくりが防止される。【００２２】  また第１の実施例では、被監視体８となる不審者が、背後監視領域５内で人体１から０．５ｍ以内に接近すると、危険通報器１２からの通報音が、警察のパトロールカーの警報音に似た「ピー、ピー、ピー」という断続音に変化し音量も大きくなる。この音質と音量の変化には、強引なひったりの実行のために、利用者１の女性にさらに接近しようとした不審者も驚き利用者１から離れるので、利用者１の女性は難を逃れることになる。【００２３】  このように、第１の実施例において、放射器７、警報器１１ａ、１１ｂ及び危険通報器１２が内装されたネックレス３を装着した利用者１の女性が、人通りの少ない道を周囲が薄暗くなった時間帯に一人で歩いているものとする。この場合、利用者１の女性が片手にぶら下げている貴重品が入ったハンドバックをひったくろうとして、不審者が足音を忍ばせて近付いても、不審者が女性の背後２ｍの距離に円錐状に設定された背後監視領域５内に入ると、瞬時に危険通報器１２から危険を通報する危険通報音が発せられる。
このために女性は、貴重品の入ったハンドバックを両手で抱え込みその場から速やかに立ち去ることが可能で、自らに降り掛かったハンドバックのひったくり事故を防止することが可能になる。
この場合、強引にひったりを実行しようとする不審者が、さらに利用者１の女性に０．５ｍ以内の距離に近付くと、危険通報器１２からの通報音が、警察のパトロールカーの警報音に似た音質になり、音量も大きくなるように変化するので、さすがの不審者も驚いて利用者１から離れることになる。この間に貴重品の入ったハンドバックを両手で抱え込んだ利用者１の女性は、その場から速やかに立ち去って難を逃れることが可能になる。【００２４】  図３を参照して、第２の実施例を説明する。
第２の実施例では、図３に示すように、第１の実施例の通報音を発生して危険通報を行なう危険通報器１２に代えて、人体に通報振動を伝達して危険通報を行なう危険通報器１２Ａが設けられている。また、第２の実施例では背後監視領域５Ａが、放射器７の放射中心位置から、頂角が６０°の円錐状に放射中心位置から５ｍの距離までに設定され、放射器７からはこのように設定された背後監視領域５Ａ内に、監視電磁波６が有効に放射されるように構成されている。
第２の実施例のその他の部分の構成は、すでに説明した第１の実施例と同一である。【００２５】  第２の実施例としては、老女が買物を済ませてカートを引いて帰宅中のケースを説明する。
この場合も第１の実施例と同様に、利用者１の老女はネックレス３を装着しており、ネックレス３の背後位置に内装されている放射器７からは、図３に示すように、利用者１の人体背後の背後監視領域５Ａには、常時点線で示す監視電磁波６が放射されている。
例えば、カートを引いて歩行中の老女の背後から、被監視体８となる自転車が近付き、利用者１の老女の背後５ｍ以内の背後監視領域５Ａ内に入ったとすると、放射器７から放射されている監視電磁波６は、被監視体８である自転車により反射され、反射電磁波１０として警報器１１ａ、１１ｂにより検知され、警報器１１ａ、１１ｂからは警報信号が出力される。このようにして、警報器１１ａ、１１ｂから出力された警報信号は、危険通報器１２Ａに入力され、危険通報器１２Ａからは危険を通報する通報振動が利用者１の老女の人体に伝達される。このようにして、老女は人体に伝達される通報振動により、自分の背後５ｍ内の背後監視領域５Ａに何物かが侵入したことを瞬時に知り、カートを身近に引き寄せることにより、自転車のカートへの接触を避けることにより、自己に発生する可能性のある負傷事故が防止される。【００２６】  このようにして、第２の実施例によると、放射器７、警報器１１ａ、１１ｂ及び危険通報器１２Ａが内装されたネックレス３を装着している老女が、カートを引いて歩行中に、自転車が老女の背後から近付き背後監視領域５Ａ内に侵入すると、瞬時に危険通報器１２Ａか危険を通報する通報振動により危険通報を行なうので、聴覚が衰えている利用者１の老女も、瞬時に且つ確実に背後５ｍ内の背後監視領域５Ａに何物かが侵入したことを知ることが可能になる。そして、カートを身近に引き寄せることにより、自転車のカートへの接触を避けて自己に発生するおそれのある負傷事故を適切且つ完全に防止することが可能になる。【００２７】  なお、各実施例では放射器７、警報器１１ａ、１１ｂ及び危険通報器１２もしくは危険通報器１２Ａが、ネックレス３に内装されている場合を説明したが、本発明はこれに限定されるものではなく、ネックレスに代えて例えば帽子を使用することも可能である。
また、第２の実施例に対して、危険通報器１２Ａに代えて第１の実施例に使用した通報音により危険通報を行なう危険通報器１２を使用し、放射器７、警報器１１ａ、１１ｂ及び危険通報器１２が収納される保持体をカートに装着して使用する構成とすることも可能である。
【符号の説明】
【００２８】１  利用者
１Ａ  人体
２  頚部
３  ネックレス
５、５Ａ  背後監視領域
６  監視電磁波
７  放射器
８  被監視体
１０  反射電磁波
１１ａ、１１ｂ  警報器
１２、１２Ａ  危険通報器
【図１】
2011008746.tif 000003
【図２】
2011008746.tif 000004
【図３】
2011008746.tif 000005